(57)【特許請求の範囲】
【請求項１】
使い捨て飲料コップ（２）の最大外径（Ｄ）とほぼ対応する開口径（Ｓ）の直管として、そのコップ（２）を自づと積み重なる落下状態に受け入れるコップ収容スタンド（１）と、その開口下端部へ着脱自在に取り付けられた底蓋（３）とから成る使い捨て飲料コップの回収用具において、
上記コップ収容スタンド（１）をその内部の透視可能な硬質合成樹脂から作成し、
そのコップ収容スタンド（１）の開口上端部をここへ連通状態に被着一体化された別個な硬質合成樹脂製固定エルボ管（６ａ）と、その固定エルボ管（６ａ）の内側へ進退スライド自在に嵌合された硬質合成樹脂製可動エルボ管（６ｂ）とから成る管継手構造のコップ投入エルボ（６）として屈曲させ、
その可動エルボ管（６ｂ）の円周面からネジ軸（７）を外向き一体的に張り出す一方、そのネジ軸貫通用のスライドガイド長孔（８）を固定エルボ管（６ａ）の円周面に切り欠くと共に、
上記ネジ軸（７）の張り出し先端部へ締結する特殊なキー形状の固定ナット（９）を、これと適合する特殊な専用回動工具（Ｔ）により緩めて、上記可動エルボ管（６ｂ）を固定エルボ管（６ａ）に対して長手方向へ進退スライド操作することにより、上記コップ投入エルボ（６）の屈曲角度（β）を回収対象物であるコップ（２）の深さ変化に応じて大小調整できるように関係設定したことを特徴とする使い捨て飲料コップの回収用具。
【請求項２】
使い捨て飲料コップ（２）の最大外径（Ｄ）とほぼ対応する開口径（Ｓ）の直管として、そのコップ（２）を自づと受け入れるコップ落下シュート（１２）と、その開口下端部へ連通状態に据え付けられた開閉可能なコップ収容ボックス（１３）とから成る使い捨て飲料コップの回収用具において、
上記コップ落下シュート（１２）をその内部の透視可能な硬質合成樹脂から作成し、
そのコップ落下シュート（１２）の開口上端部をここへ連通状態に被着一体化された別個な硬質合成樹脂製固定エルボ管（６ａ）と、その固定エルボ管（６ａ）の内側へ進退スライド自在に嵌合された硬質合成樹脂製可動エルボ管（６ｂ）とから成る管継手構造のコップ投入エルボ（６）として屈曲させ、
その可動エルボ管（６ｂ）の円周面からネジ軸（７）を外向き一体的に張り出す一方、そのネジ軸貫通用のスライドガイド長孔（８）を固定エルボ管（６ａ）の円周面に切り欠くと共に、
上記ネジ軸（７）の張り出し先端部へ締結する特殊なキー形状の固定ナット（９）を、これと適合する特殊な専用回動工具（Ｔ）により緩めて、上記可動エルボ管（６ｂ）を固定エルボ管（６ａ）に対して長手方向へ進退スライド操作することにより、上記コップ投入エルボ（６）の屈曲角度（θ）を回収対象物であるコップ（２）の深さ変化に応じて大小調整できるように関係設定したことを特徴とする使い捨て飲料コップの回収用具。
【請求項３】
コップ収容スタンド（１）又はコップ落下シュート（１２）の上下方向に沿って、その内部に目詰まりした異物の排除作業用となる長孔（５）の向かい合う一対を平行に切り欠き列設したことを特徴とする請求項１又は２記載の使い捨て飲料コップの回収用具。
【請求項４】
ネジ軸（７）とそのネジ軸貫通用スライドガイド長孔（８）を、可動エルボ管（６ｂ）並びに固定エルボ管（６ａ）における円周面の入隅部へ各々設置したことを特徴とする請求項１又は２記載の使い捨て飲料コップの回収用具。
【発明の詳細な説明】
【技術分野】
【０００１】
本発明はコーヒーやココア、ジュースなどの自動販売機の周辺に設置使用されることとなる使い捨て飲料コップの回収用具に関する。
【背景技術】
【０００２】
各種飲料の使い捨て紙製コップや透明合成樹脂製コップを回収する用具として、その複数本のコップ投入ガイドをコップ収容ボックスの開閉蓋に据え立てたり、或いはその開閉蓋から垂下させたりした形態品が、下記の特許文献に開示されており、これらによれば使い捨て飲料コップを自づと順次積み重なる状態に効率良く収容できる共に、収集作業しやすい利点があると言える。
【特許文献１】特開２００４−１４２９３１号公報
【特許文献２】特開２００２−１０４６０１号公報
【特許文献３】特開平６−２９８３０１号公報
【発明の開示】
【発明が解決しようとする課題】
【０００３】
ところが、上記公知発明の構成では何れも使い捨て飲料コップを自づと順次積み重なる状態に落下させる必要上、そのコップ投入ガイドが単純な直管として、そのまま真上方向に開口しており、しかも大部分がコップ収容ボックスの内部へ、目視不能に埋没した状態にあるため、自動販売機からの本来的な回収対象物である使い捨て飲料コップ以外の異物が、抵抗感なく投入されてしまいやすく、その異物がコップ収容ボックスの満杯になるまでに、コップ投入ガイドの途中へ目詰まりすることとなる。
【０００４】
殊更、行楽地やその他の屋外に設置されている自動販売機の場合、その使い捨て飲料コップの回収用具には、各種食物の残渣を包んだ合成樹脂フィルム袋や乳幼児のオムツ、その他の廃棄物さえも詰め込まれてしまいやすく、本来の回収対象物である飲料コップが周辺に散乱することとなる結果、自動販売機の管理業者にとって、その回収作業上悲鳴をあげている現状であり、上記公知発明の構成ではこのような問題を到底解決することができない。
【課題を解決するための手段】
【０００５】
本発明はこのような課題の改良を目的としており、その目的を達成するために、請求項１では使い捨て飲料コップの最大外径とほぼ対応する開口径の直管として、そのコップを自づと積み重なる落下状態に受け入れるコップ収容スタンドと、その開口下端部へ着脱自在に取り付けられた底蓋とから成る使い捨て飲料コップの回収用具において、
【０００６】
上記コップ収容スタンドをその内部の透視可能な硬質合成樹脂から作成し、
【０００７】
そのコップ収容スタンドの開口上端部をここへ連通状態に被着一体化された別個な硬質合成樹脂製固定エルボ管と、その固定エルボ管の内側へ進退スライド自在に嵌合された硬質合成樹脂製可動エルボ管とから成る管継手構造のコップ投入エルボとして屈曲させ、
【０００８】
その可動エルボ管の円周面からネジ軸を外向き一体的に張り出す一方、そのネジ軸貫通用のスライドガイド長孔を固定エルボ管の円周面に切り欠くと共に、
【０００９】
上記ネジ軸の張り出し先端部へ締結する特殊なキー形状の固定ナットを、これと適合する特殊な専用回動工具により緩めて、上記可動エルボ管を固定エルボ管に対して長手方向へ進退スライド操作することにより、上記コップ投入エルボの屈曲角度を回収対象物であるコップの深さ変化に応じて大小調整できるように関係設定したことを特徴とする。
【００１０】
又、請求項２では使い捨て飲料コップの最大外径とほぼ対応する開口径の直管として、そのコップを自づと受け入れるコップ落下シュートと、その開口下端部へ連通状態に据え付けられた開閉可能なコップ収容ボックスとから成る使い捨て飲料コップの回収用具において、
【００１１】
上記コップ落下シュートをその内部の透視可能な硬質合成樹脂から作成し、
【００１２】
そのコップ落下シュートの開口上端部をここへ連通状態に被着一体化された別個な硬質合成樹脂製固定エルボ管と、その固定エルボ管の内側へ進退スライド自在に嵌合された硬質合成樹脂製可動エルボ管とから成る管継手構造のコップ投入エルボとして屈曲させ、
【００１３】
その可動エルボ管の円周面からネジ軸を外向き一体的に張り出す一方、そのネジ軸貫通用のスライドガイド長孔を固定エルボ管の円周面に切り欠くと共に、
【００１４】
上記ネジ軸の張り出し先端部へ締結する特殊なキー形状の固定ナットを、これと適合する特殊な専用回動工具により緩めて、上記可動エルボ管を固定エルボ管に対して長手方向へ進退スライド操作することにより、上記コップ投入エルボの屈曲角度を回収対象物であるコップの深さ変化に応じて大小調整できるように関係設定したことを特徴とする。
【００１５】
請求項３では上記コップ収容スタンド又はコップ落下シュートの上下方向に沿って、その内部に目詰まりした異物の排除作業用となる長孔の向かい合う一対を平行に切り欠き列設したことを特徴とする。
【００１６】
更に、請求項４では上記ネジ軸とそのネジ軸貫通用スライドガイド長孔を、可動エルボ管並びに固定エルボ管における円周面の入隅部へ各々設置したことを特徴とする。
【発明の効果】
【００１７】
請求項１の構成によれば、回収用具のコップ収容スタンドが直管から成るとしても、その開口上端部はコップ投入エルボとして屈曲されており、その屈曲角度を回収対象物である飲料コップの深さ変化に応じて大小調整し、コップ投入エルボを通過させ得るようになっているため、自動販売機毎に回収対象物となる飲料コップの深さが相違変化しても、その回収用具を支障なく汎用的に使うことができ、回収対象外の深い飲料コップや飲料コップと異なる各種廃棄物（異物）が、無造作に投入されることを抑制でき、冒頭に述べた従来技術の課題を解消し得る効果がある。
【００１８】
そして、上記コップ収容スタンドのコップ投入エルボを通過して、その収容スタンドの内部へ自づと順次積み重なる落下状態に受け入れ収容された回収対象物の飲料コップは、その底蓋の取りはずしによって、一挙に下方へ抜き出すことができるため、その収集作業も容易に便利良く行なえるのである。
【００１９】
他方、請求項２の構成によれば、回収用具のコップ落下シュートが直管から成るとしても、その開口上端部をなすコップ投入エルボの屈曲角度を、やはり回収対象物である飲料コップの深さ変化に応じて大小調整し、コップ投入エルボを通過させることができるようになっているため、上記請求項１と同様に、飲料コップ以外の異物・廃棄物が投入されることを抑制し得るのであり、回収対象物となる飲料コップを上記コップ落下シュートの下端部に連通するコップ収容ボックスの内部へ、極力多量に収容することができるほか、そのためのコップ投入エルボが屈曲されたコップ落下シュートを、上記コップ収容ボックスによって安定良く据え立て得る効果もある。
【００２０】
その場合、上記請求項１のコップ収容スタンドや請求項２のコップ落下シュートは、何れも内部の透視可能な硬質合成樹脂から作成されているため、飲料コップ以外の異物を外部から誰でも透視することができる結果として、異物の投入を心理的・感覚的に思いとどまらせる得る効果がある。
【００２１】
又、上記請求項１と請求項２との何れにあっても、そのコップ投入エルボはコップ収容スタンドやコップ落下シュートと別個な硬質合成樹脂製の固定エルボ管と、その内側に嵌合された硬質合成樹脂製の可動エルボ管とから成る二重構造の管継手であり、しかもその内側の可動エルボ管から固定エルボ管のネジ軸貫通用スライドガイド長孔を通じて、外向き一体的に張り出すネジ軸の先端部へ、特殊なキー形状の固定ナットを螺合締結している。
【００２２】
そのため、その固定ナットと適合する特殊な専用回動工具を使わない限り、上記ネジ軸の固定ナットを緩めて、可動エルボ管を固定エルボ管の長手方向へ進退スライド操作することにより、上記コップ投入エルボの屈折角度を調整したり、又その調整状態を上記固定ナットの締め付けによって固定したりすることができず、第三者によるイタズラの予防に役立つのである。
【００２３】
特に、請求項３の構成を採用するならば、コップ収容スタンドやコップ落下シュートの内部に回収対象物以外の異物が目詰まりした時、その上下方向に沿って開口する長孔から適当な板材や工具などを挿入して、押し下げることにより、その異物を排除作業できる効果があり、利便性に優れる。
【００２４】
更に、請求項４の構成を採用するならば、コップ投入エルボを通過する飲料コップが、万一にもネジ軸の頭部へ係止するおそれはない。
【発明を実施するための最良の形態】
【００２５】
以下、図面に基いて本発明の具体的構成を詳述すると、図１〜１２はその本発明に係る回収用具の第１実施形態を示しており、（１）は一定な背丈（Ｈ）（望ましくは子供にも使いやすい約６０〜１００cm）のコップ収容スタンドであって、使い捨て飲料コップ（２）の最大外径（Ｄ）（例えば約７２〜７７mm）とほぼ対応する開口径（Ｓ）（例えば約８０mm）を備えた硬質合成樹脂の丸い直管から成り、その飲料コップ（２）を自づと順次積み重なる落下状態に受け入れる。
【００２６】
（３）はそのコップ収容スタンド（１）の開口下端部へ着脱自在に取り付けられた底蓋であって、これも硬質合成樹脂から成り、これを取りはずせば、上記飲料コップ（２）がコップ収容スタンド（１）から脱落するため、これを別に用意したゴミ袋（図示省略）へ収集することができる。
【００２７】
この点、図示実施形態では底蓋（３）を言わば断面Ｕ字形の袋ナットとして、上記コップ収容スタンド（１）の外周面へ螺合締結しているが、これを取りはずして、飲料コップ（２）を抜き出せる限り、その他の各種取付手段を採用することができる。尚、飲料コップ（２）としては紙製コップのみならず、透明な合成樹脂製コップもあり得る。
【００２８】
何れにしても、底蓋（３）には１個又は複数個の排水ドレーン（４）を開口形成して、上記コップ収容スタンド（１）の内部に万一溜まる飲料や雨水などを、ここから排出できるように定めることが好ましい。
【００２９】
又、上記コップ収容スタンド（１）になる直管としては、これを透明又は半透明の硬質合成樹脂から作成することが望ましい。そうすれば、使い捨て飲料コップ（２）以外の異物を投入した時、これを外部から誰でも透視できるため、その異物の投入を心理的・感覚的に思いとどまらせることができる。
【００３０】
更に、上記コップ収容スタンド（１）の上下方向に沿って、図１、２、４のような１個又は複数個の長孔（５）を切り欠き列設することが好ましい。そうすれば、そのコップ収容スタンド（１）の長孔（５）を内部の覗き窓として活用できるほか、コップ収容スタンド（１）の内部に異物が目詰まりした時、その長孔（５）から適当な板材や工具（図示省略）などを挿入して、押し下げることにより、その異物を上記コップ収容スタンド（１）の開口下端部から排除できるからである。そのためには、上記長孔（５）を向かい合う一対として、平行に列設することが一層好ましい。
【００３１】
他方、上記コップ収容スタンド（１）の開口上端部はコップ投入エルボ（６）として、そのコップ収容スタンド（１）の開口上端部へ接着剤などにより、連通状態に被着一体化された別個な硬質合成樹脂の固定エルボ管（６ａ）と、その固定エルボ管（６ａ）の内側へ進退スライド自在に嵌合された同じく硬質合成樹脂の可動エルボ管（６ｂ）とから二重構造のエルボ管継手をなしており、その可動エルボ管（６ｂ）を固定エルボ管（６ａ）に対して長手方向へ進退スライド操作することにより、上記コップ投入エルボ（６）の屈曲角度（θ）を回収対象物である飲料コップ（２）の深さ変化に応じて、大小調整することができるようになっている。
【００３２】
つまり、回収対象物である飲料コップ（２）の深さ（Ｌ）には、自動販売機毎の相違変化があることを考慮し、その回収用具に汎用性を発揮させるため、上記構成を採用しており、例えば約８cmの浅い飲料コップ（２）を回収する用具として使う場合には、そのコップ投入エルボ（６）の屈曲角度（θ）を図４、１０のように緩やかな大きい角度（θ１）（例えば約６０度）として、又例えば約１２cmの深い飲料コップ（２）を回収する用具として使う場合には、同じくコップ投入エルボ（６）の屈曲角度（θ）を図７、１２のように鋭い小さな角度（θ２）（例えば約３８度）として、その何れにしても回収対象物となる一定深さ（Ｌ）の飲料コップ（２）が通過し得るように調整セットするのである。
【００３３】
（７）は上記可動エルボ管（６ｂ）の円周面から外向き一体的に張り出すネジ軸であり、その頭部が可動エルボ管（６ｂ）へ埋設状態にインサート成形されている。（８）はそのネジ軸（７）を貫通させるためのスライドガイド長孔であって、固定エルボ管（６ａ）の円周面に切り欠き延在されており、これを通じて固定エルボ管（６ａ）の円周面から露出する上記ネジ軸（７）の張り出し先端部には、固定ナット（９）が螺合締結されている。
【００３４】
しかも、その固定ナット（９）は例えば楕円形や円錐形などの特殊なキー形状として造形されており、そのキー形状と適合する特殊な専用工具（Ｔ）を使って回動操作しなければ、その固定ナット（９）を緩めて、上記可動エルボ管（６ｂ）を長手方向へ進退スライド操作することができず、そのコップ投入エルボ（６）における屈曲角度（θ）の大小調整状態を得られないようになっている。
【００３５】
上記固定ナット（９）の施・解錠に使う特殊な専用回動工具（Ｔ）を、自動販売機の管理業者だけが保有することにより、その他の第三者がいたづらに上記コップ投入エルボ（６）の屈曲角度（θ）を、変更できないように施錠されるのである。
【００３６】
その場合、上記ネジ軸（７）とその貫通用スライドガイド長孔（８）並びに固定ナット（９）を、図３、４と対応する別な図８、９に示す如く、そのコップ投入エルボ（６）を形作る固定エルボ管（６ａ）と可動エルボ管（６ｂ）における円周面のうち、特に入隅部へ設置することが好ましい。そうすれば、コップ投入エルボ（６）を通過する飲料コップ（２）が、万一にもネジ軸（７）の頭部へ係止するおそれはなく、その結果可動エルボ管（６ｂ）に対するネジ軸（７）の取り付けを制約なく容易に行なえるからである。
【００３７】
そして、上記構成を備えた第１実施形態の回収用具は、その使用状態を示す図１０〜１２から明白なように、そのコップ収容スタンド（１）を接地面（Ｇ）に据え立て、その中途高さ位置を開閉可能なクランプ金具（１０）などの適当な取付用具により、自動販売機（Ａ）やその近辺の壁面へ固定すれば良い。
【００３８】
尚、上記コップ収容スタンド（１）の底蓋（３）は図１３の部分的な第１変形実施形態に示す張り出しフランジ（１１）を備えた台板形態として、その張り出しフランジ（１１）を図外のアンカーボルトなどにより、接地面（コンクリート床版）（Ｇ）へ据え付け固定しても良い。
【００３９】
又、図１４、１５の部分的な第２変形実施形態から明白なように、複数本として並び立つコップ収容スタンド（１）の開口下端部へ、これらに共通する大きな１個の底蓋（３）を、着脱自在に取り付けると共に、その底蓋（３）をやはり接地面（Ｇ）へ据え付け固定したり、或いは複数本のコップ収容スタンド（１）を共通のクランプ金具（１０）などによって、自動販売機（Ａ）やその近辺の壁面へ取り付け固定したりしても良い。
【００４０】
次に、図１６、１７は本発明の第２実施形態を示しており、この回収用具は上記第１実施形態のコップ収容スタンド（１）よりも背低いコップ落下シュート（１２）と、その開口下端部へ連通状態に据え付けられた別個なコップ収容ボックス（１３）とから成り、使い捨て飲料コップ（２）をその落下シュート（１２）からコップ収容ボックス（１３）へ受け入れ収容するようになっている。
【００４１】
つまり、接地面（Ｇ）へ安定良く据え付け固定される大型のコップ収容ボックス（１３）から、コップ落下シュート（１２）が上向き一体的に植え立てられているのであり、その全体の背丈（Ｈ）が上記第１実施形態とほぼ同等に寸法化されている。（１４）はそのコップ落下シュート（１２）の開口下端部へコップ収容ボックス（１３）の内側から螺合締結された固定ナットである。
【００４２】
そして、コップ落下シュート（１２）は上記第１実施形態のコップ収容スタンド（１）と同じく、飲料コップ（２）の最大外径（Ｄ）とほぼ対応する開口径（Ｓ）を備えた硬質な合成樹脂の丸い直管から成り、その開口上端部がやはりコップ投入エルボ（６）として、上記第１実施形態のそれと同じ構成のもとに屈曲形成されている。そのため、図１６、１７に図１〜１２と対応する符号を記入するにとどめて、そのコップ投入エルボ（６）の詳細な説明を省略する。
【００４３】
他方、第２実施形態のコップ収容ボックス（１３）は硬質合成樹脂や金属板から作成されており、その開閉扉（１５）には施・解錠金具（１６）が取り付けられている。これを保有している自動販売機（Ａ）の販売業者だけが、そのコップ収容ボックス（１３）の開閉操作を行なえるように施錠されているのである。
【００４４】
この点、図１６、１７ではコップ収容ボックス（１３）へヒンジ（蝶番）（１７）によって枢着された開閉扉（１５）を示しているが、上記施・解錠できる天蓋（図示省略）を被着させても良く、その際コップ収容ボックス（１３）の開口上縁部へ垂れ掛けたゴミ袋（図示省略）を、その天蓋によって押え付けることも考えられる。
【００４５】
又、第２実施形態の構成にあっても、その図１８の変形実施形態に示す如く、複数本のコップ落下シュート（１２）を並び立つ状態として、これらに共通する１個の大きなコップ収容ボックス（１３）から一体的に張り出すことができる。
【図面の簡単な説明】
【００４６】
【図１】本発明に係る回収用具の第１実施形態を示す斜面図である。
【図２】図１の側面図である。
【図３】図２の正面図である。
【図４】図３の４−４線断面図である。
【図５】図２の５−５線拡大断面図である。
【図６】コップ投入エルボの屈曲角度が小さく調整セットされた施錠状態を示す図１に対応する斜面図である。
【図７】図６の側断面図である。
【図８】図３に対応する好適な変形実施形態を示す正面図である。
【図９】図８の９−９線拡大断面図である。
【図１０】コップ投入エルボの屈曲角度が大きく調整セットされた据え立て使用状態を示す断面図である。
【図１１】図１０の１１−１１線拡大断面図である。
【図１２】コップ投入エルボの屈曲角度が小さく調整セットされた据え立て使用状態を示す断面図である。
【図１３】上記第１実施形態の部分的な第１変形実施形態を示す断面図である。
【図１４】上記第１実施形態の部分的な第２変形実施形態を示す断面図である。
【図１５】図１４の１５−１５線断面図である。
【図１６】本発明に係る回収用具の第２実施形態を示す斜面図である。
【図１７】図１６の側断面図である。
【図１８】図１６の部分的な変形実施形態を示す一部破断の正面図である。
【符号の説明】
【００４７】
（１）・コップ収容スタンド
（２）・飲料コップ
（３）・底蓋
（４）・排水ドレーン
（５）・長孔
（６）・コップ投入エルボ
（６ａ）・固定エルボ管
（６ｂ）・可動エルボ管
（７）・ネジ軸
（８）・スライドガイド長孔
（９）・固定ナット
（１０）・クランプ金具
（１１）・張り出しフランジ
（１２）・コップ落下シュート
（１３）・コップ収容ボックス
（１４）・固定ナット
（１５）・開閉扉
（１６）・施・解錠金具
（１７）・ヒンジ
（Ａ）・自動販売機
（Ｄ）・コップの最大外径
（Ｇ）・接地面
（Ｈ）・背丈
（Ｌ）・コップの深さ
（Ｔ）・専用回動工具
（Ｓ）・開口径
（θ）（θ１）（θ２）・屈曲角度
【図１】
0004568317.tif 000002
【図２】
0004568317.tif 000003
【図３】
0004568317.tif 000004
【図４】
0004568317.tif 000005
【図５】
0004568317.tif 000006
【図６】
0004568317.tif 000007
【図７】
0004568317.tif 000008
【図８】
0004568317.tif 000009
【図９】
0004568317.tif 000010
【図１０】
0004568317.tif 000011
【図１１】
0004568317.tif 000012
【図１２】
0004568317.tif 000013
【図１３】
0004568317.tif 000014
【図１４】
0004568317.tif 000015
【図１５】
0004568317.tif 000016
【図１６】
0004568317.tif 000017
【図１７】
0004568317.tif 000018
【図１８】
0004568317.tif 000019